(57)【要約】【課題】  液晶表示装置の交換時に液晶表示装置の表示面を傷つけることなく交換できるスロットマシンの液晶表示装置保護ユニット構造を提供することを目的とする。【解決手段】  複数個の回胴表示装置ユニット上方に、前カバー５５２と後カバー５５１とで形成され照明装置９０と液晶表示装置６Ａとが配設される液晶表示装置保護ユニット５５０が、遊技ユニット内に着脱可能に備えられている。前カバー５５２は、下方が前記照明装置９０からの光を散乱するように形成され、前方５５３ａが透明に形成されている。後カバー５５１は、前記液晶表示装置６Ａおよび前記照明装置９０とが取りつけられる。前カバー５５２と後カバー５５１とで一体化された液晶表示装置保護ユニット５５０は、止着装置８０ａと遊技ユニットに形成された孔とを嵌合することで固定され、止着装置８０ａを引き抜くことで着脱される。【選択図】        図３
2005181403.tif 000002
【特許請求の範囲】
【請求項１】
遊技機枠に収納され、回転変動表示する複数個の回胴表示装置ユニットと、該複数個の回胴表示装置ユニットを上方から照明する照明装置と、該照明装置の上方に遊技者によって視認可能に配設された液晶表示装置とが配設される後部ケースと、該後部ケースに片開きに開閉可能に取り付けられた前部ケースとで構成される遊技ユニット内に、
下方に前記照明装置を取り付ける照明装置取り付け部と、該照明装置取り付け部の上方に前記液晶表示装置を取り付ける液晶表示装置取り付け部とを備える後カバーと、下方に前記照明装置を収納し前記照明装置からの光を散乱して前記複数個の回胴表示装置ユニットを上部正面から照射するように形成された照明装置収納部と、該照明装置収納部の上方に前記液晶表示装置を収納し前記液晶表示装置の表示面を視認可能なように前方が透明に形成されている液晶表示装置収納部とを備える前カバーとで形成され、内部に前記液晶表示装置と前記照明装置とを配設した液晶表示装置保護ユニットを備え、該液晶表示装置保護ユニットは、前記遊技ユニットの後部ケースに配設されている前記回胴表示装置ユニットの上方に、着脱可能に備えられていることを特徴とするスロットマシンの液晶表示装置保護ユニット構造。
【発明の詳細な説明】
【技術分野】
【０００１】
本発明は、スロットマシンの液晶表示装置保護ユニット構造に関し、特に、液晶表示装置の交換時に液晶表示装置の表示面を傷つけることなく、容易に交換できると共に、回胴表示装置ユニットを照明する照明装置を内蔵して装置の小型化を図れるスロットマシンの液晶表示装置保護ユニット構造に関するものである。
【背景技術】
【０００２】
従来、可変表示ゲームを行う可変表示ドラム装置が収容された本体ケースの前側開口部に、ゲームを視認するための窓が設けられていて、所定数の球を一単位として所望単位ずつ賭けてゲームを行う、スロットマシンの如き遊技装置が知られている（例えば、特許文献１参照。）。この種の遊技装置に、例えば、パチンコ球を用いてゲームを行わせるようにした遊技装置がある（例えば、特許文献２参照。）。この遊技装置によれば同じ遊技場内においてパチンコ機と共通の剛球を使用できるので、パチンコ遊技店内のパチンコ球補給装置及び計数装置並びに中央管理装置（集中管理装置）を廃棄することなく共用できる。従って、同一の島設備に、パチンコ機と、パチンコ球を用いたスロットマシンの如き遊技装置などを混在させることができるという利点がある。又、ユニット化された可変表示装置（液晶表示装置）の取り付け及び取り外しの作業性を向上することで、可変表示装置のリサイクル性を向上し得る遊技機を提供する目的でなされた遊技機がある（例えば、特許文献３参照。）。
【０００３】
【特許文献１】特開昭６２−２４６３９０号公報
【特許文献２】特開平５−１１５５９７号公報
【特許文献３】特開２００３−１９０４９４号公報
【０００４】
このような遊技装置は、近年では遊技性を高めるために、大型の液晶表示装置６Ａを備えている。例えば、図７に示すように、遊技機枠１００が前枠２と後部枠１（中枠１２と外枠９）とで構成され、前枠２が上、下ヒンジを介して後部枠１に対して片開き可能に取付けられている遊技装置がある。この遊技機枠１００に、図示していない制御装置、球取込装置及び回胴表示装置ユニット６、遊技ユニット８、その他の遊技部品で構成されるスロットマシン本体が搭載されてスロットマシンが構成される。後部枠１は、島等と呼称される遊技機設置設備に設置される外枠９と、この外枠９に上、下ヒンジ１０、１１を介して外枠９に対して前枠２と同方向に片開き可能に取付けられた中枠１２とで構成される。開口部は、纂２５を介して区画された上部開口部２６と下部開口部２７とを備える。前記上部開口部２６と下部開口部２７とには、透明のガラス板が嵌め込まれ、回胴表示装置ユニット６、液晶表示装置６Ａなどを遊技者が触れないようになっている。
【０００５】
中枠１２の右側部中央の前側には錠２８が設けられ、この錠２８に図示されていない専用の鉤を差し込んで左に回動することにより、前枠２と中枠１２との間のロックが解除されて、前枠２がヒンジを支点として片開き可能となる。また、錠２８を右に回動すると中枠１２と外枠９との間のロックが解除されて中枠１２がヒンジ１０、１１を支点として前枠２とともに片開き可能となる。中枠１２は、その上部に遊技ユニット８を収納し、該遊技ユニット８は、図示していない制御装置、回胴表示装置ユニット６、液晶表示装置６Ａを備え、賞数（ＰＡＹＯＵＴ）表示器９２、ボーナス（ＢＯＮＵＳ）ゲームのゲーム回数又は残ゲーム回数を表示する表示器９３、クレジット球数を表示するクレジット表示器９４、取込球数を表示する表示器、即ち、賭球数表示器９５が下方に配設されている。中枠１２には遊技ユニット８が取付部７６を介して取付けられ、遊技ユニット８は、前枠２の前記上部開口部２６と下部開口部２７を介して遊技者に見えるようになっている。
【０００６】
前記遊技ユニット８は、図８に示すように、遊技パネル取付枠８Ｂと、該遊技パネル取付枠８Ｂに片開きに開閉可能に取り付けられた取付枠８Ｃとで構成される。図７に示した表示窓８２、８３及び前記表示器９２、９３、９４、９５等の開口窓９２ａ、９３ａ、９４ａ、９５ａを介して回胴表示装置ユニット６の各回胴リールに設けられた変動図柄及び回胴リールが停止した場合の停止図柄、液晶表示装置６Ａ、表示器９２、９３、９４、９５等の表示を遊技者が見ることができる。
【０００７】
蝶番８７が設けられている反対側の取付枠８Ｃと遊技パネル取付枠８Ｂとが対向する位置にマグネット８８が配設され、該マグネットが互いに吸着して取付枠８Ｃと遊技パネル取付枠８Ｂとを保持する。取付枠８Ｃと遊技パネル取付枠８Ｂとは、つまみ７７を引くことにより前記マグネット８８が離され片開きに開閉される。取付枠８Ｃは、位置決め孔７６ａ及び係止部８２ｂを備えていると共に、その中央部に遊技ユニット８を収納する凹部（収納部８９）が形成されている。上記位置決め孔７６ａ及び係止部８２ｂは、取付枠８Ｃの上部両側に、それぞれ形成されている。
【０００８】
液晶表示器取り付け枠５５には、液晶表示装置６Ａと照明装置９０が取り付けられていて、該液晶表示器取り付け枠５５は、取付枠８Ｃの上部両側に設けられた孔８０ｂに挿入される、周知のスナップラッチ（登録商標）あるいはナイラッチ（登録商標）と呼ばれるワンタッチ式の止着装置８０ａにより取付枠８Ｃの上部に固定され、液晶表示装置６Ａの表示面と前枠２の表示窓８２とが一致する。中枠１２には、前記係止部８２ｂと係合する係合部８００が設けられていて、該係合部８００は、つまみにより回転し、前記係止部８２ｂの先端と係合し、中枠１２に収納される遊技ユニット８を固定する。前記液晶表示器取り付け枠５５の下方には複数個の回胴表示装置ユニット６（図８においては３個）が取付枠８Ｃに形成された収納部８９に収納される。
【０００９】
また、前記特許文献３に開示されている遊技機は、複数種類の画像を表示する液晶パネル、該液晶パネルを照射する光源、及び前記液晶パネルを表示駆動制御するドライバ基板を有する可変表示装置と、該可変表示装置を遊技盤に取り付ける表示装置取付部材とを備えた遊技機において、前記表示装置取付部材は、前記可変表示装置の着脱が可能な開口部を有して前記遊技盤の裏面側に取り付けられる取付基体と、前記開口部の少なくとも一部分を閉塞する閉塞部材とを備え、前記可変表示装置は、前記取付基体の開口部から装着された後に該開口部を前記閉塞部材によって閉塞することで、前記表示装置取付部材内に収容保持されるものである。
【発明の開示】
【発明が解決しようとする課題】
【００１０】
前記図７、図８に示した遊技装置は、前記透明のガラス板が嵌め込まれ上部開口部２６と下部開口部２７とにより、前枠２を閉じたときに遊技ユニット８内に備えられた液晶表示装置６Ａの表示面が保護される構造となっている。かかる構造において、回胴表示装置ユニット６あるいは、液晶表示装置６Ａなどが故障した場合、前記遊技ユニット８を中枠１２から取外し、回胴表示装置ユニット６あるいは、液晶表示装置６Ａなどを修理、交換する必要がある。しかし、中枠１２から取外された遊技ユニット８は、前記のように液晶表示装置６Ａの表示面がむき出しとなってしまい、液晶表示装置６Ａなどを修理、交換するために外したり、移動したりする時に傷がつきやすい。
【００１１】
また、前記特許文献３に開示されている遊技機は、可変表示装置を取付基体の開口部から装着された後に該開口部を閉塞部材によって閉塞することで、表示装置取付部材内に収容保持するものであるが、複数個の回胴表示装置ユニットを備えておらず、又、該複数個の回胴表示装置ユニットを照明するための照明装置も備えられていない。そのため本願発明のような回転変動表示する複数個の回胴表示装置ユニットを有するスロットマシンに用いた場合、複数個の回胴表示装置ユニットを照明するための照明装置を別途、外部に設けなければならず、装置の小型化と低価格化が阻害される。
本発明は、上記課題を解決するためになされたもので、液晶表示装置の交換時に液晶表示装置の表示面を傷つけることなく、液晶表示装置を容易に交換できるとともに回胴表示装置ユニットを照明する照明装置を内蔵して装置の小型化を図れるスロットマシンの液晶表示装置保護ユニット構造を提供することを目的とする。
【課題を解決するための手段】
【００１２】
本発明は、前記課題を解決するために、遊技機枠に収納され、回転変動表示する複数個の回胴表示装置ユニットと、該複数個の回胴表示装置ユニットを上方から照明する照明装置と、該照明装置の上方に遊技者によって視認可能に配設された液晶表示装置とが配設される後部ケースと、該後部ケースに片開きに開閉可能に取り付けられた前部ケースとで構成される遊技ユニット内に、下方に前記照明装置を取り付ける照明装置取り付け部と、該照明装置取り付け部の上方に前記液晶表示装置を取り付ける液晶表示装置取り付け部とを備える後カバーと、下方に前記照明装置を収納し前記照明装置からの光を散乱して前記複数個の回胴表示装置ユニットを上部正面から照射するように形成された照明装置収納部と、該照明装置収納部の上方に前記液晶表示装置を収納し前記液晶表示装置の表示面を視認可能なように前方が透明に形成されている液晶表示装置収納部とを備える前カバーとで形成され、内部に前記液晶表示装置と前記照明装置とを配設した液晶表示装置保護ユニットを備え、該液晶表示装置保護ユニットは、前記遊技ユニットの後部ケースに配設されている前記回胴表示装置ユニットの上方に、着脱可能に備えられていることを特徴とする。
【発明の効果】
【００１３】
液晶表示装置保護ユニットは、前方が前記液晶表示装置の表示面を視認可能なように透明に形成されている液晶表示装置収納部を有する前カバーと、前記液晶表示装置および前記照明装置とが取り付けられている照明装置取り付け部と、液晶表示装置取り付け部を有する後カバーとで形成されることにより、液晶表示装置の交換時に液晶表示装置の表示面を傷つけることなく、液晶表示装置を容易に交換することができ、交換、修理作業の効率を高めることができると共に、液晶表示装置を破損する危険性も低減できる。また、前記複数個の回胴表示装置ユニットを照射する照明装置が液晶表示装置保護ユニットに内蔵されていることにより、装置の小型化と低価格化が可能になる。更に、前記照明装置からの光を散乱して前記複数個の回胴表示装置ユニットに照射する液晶表示装置収納部を備えることにより、回胴表示装置ユニットの明るさが均一化され、遊技者に不快感を抱かせない効果がある。
【発明を実施するための最良の形態】
【００１４】
以下、図面により本発明のスロットマシンの液晶表示装置保護ユニット構造について説明する。なお、以下の説明において、前記図７、図８に示したものと同一部分については同一符号を付して説明を省略する。又、遊技ユニット８を中枠１２に取り付ける構造も前記図７、図８に示したものと同一でるので説明を省略する。
【００１５】
図１において、取付枠８Ｃの上部両側に設けられた切り欠き開口部８４の両端には孔８０ｂが設けられた凸部８０ｃが形成されている。該凸部８０ｃの間には凸部２００を有する立壁が形成されている。液晶表示装置保護ユニット５５０は、前カバー５５２と後カバー５５１とで形成されていて、前カバー５５２に凸部が形成されている液晶表示装置収納部５５３を有する。該液晶表示装置収納部５５３の前面５５３ａは、例えば透明な樹脂で形成されている。前カバー５５２の下部は、複数個の回胴表示装置ユニット６を上部から照明する図示していない照明装置が配設される照明装置収納部５５９を有する。
【００１６】
液晶表示装置保護ユニット５５０は、取付枠８Ｃの上部両側に設けられた切り欠き開口部８４に図示していない液晶表示装置６Ａの後部５５８（図２（ｂ）参照）から挿入されて以下のように着脱可能に固定されている。即ち、液晶表示装置保護ユニット５５０前面からワンタッチ式の止着装置８０ａを取付枠８Ｃに形成された孔８０ｂに挿入して止着装置８０ａと孔８０ｂとを嵌合することで取付枠８Ｃに固定され、止着装置８０ａを引き抜くことで取付枠８Ｃから外される。遊技パネル取付枠８Ｂに形成された表示窓８２には、透明のガラス板あるいは樹脂板などが嵌め込まれていてもよく、あるいはなくてもよい。前記液晶表示装置保護ユニット５５０の下方には複数個の回胴表示装置ユニット６（図１においては３個）が取付枠８Ｃに収納されている。該複数個の回胴表示装置ユニット６は、後述するように、液晶表示装置保護ユニット５５０に内蔵された照明装置９０（図３参照）により上部から照明される。
【００１７】
以下、前記液晶表示装置保護ユニット５５０の詳細について説明する。図２に示すように、前記液晶表示装置保護ユニット５５０は、例えば樹脂成型で作成された前カバー５５２と後カバー５５１とで形成されている。前記液晶表示装置保護ユニット５５０には、図示していない液晶表示装置６Ａと照明装置９０（図３参照）とが内蔵されている。
【００１８】
前カバー５５２は、前記液晶表示装置６Ａの表示面６ＡＡ側が裏から挿入される液晶表示装置収納部５５３が略中央に形成されていて、前記のように、その前面５５３ａは、遊技者により液晶表示装置６Ａの表示面が視認できるように透明に形成されている。遊技パネル取付枠８Ｂを閉じたときに前面５５３ａと表示窓８２とが一致する。
【００１９】
前カバー５５２の照明装置収納部５５９の下部領域５５９ａ（図６（ｃ）、イ部拡大図参照）は、前記照明装置９０からの光を散乱して前記複数個の回胴表示装置ユニット６を上部から照明するように加工形成されている。前記光を散乱するために、前カバー５５２の照明装置収納部５５９の下部領域５５９ａ表面をスモーク加工したり、光散乱フィルムなどを貼り付けてもよい。また、前カバー５５２の照明装置収納部５５９の下部領域５５９ａの範囲は、当該液晶表示装置保護ユニット５５０の下方に設けられている複数個の回胴表示装置ユニット６の上方から前面が遊技者に視認され易いように照明できる範囲であって、使用される照明手段の大きさ、配設される位置、および回胴表示装置ユニット６との距離などにより適宜定められ、前カバー５５２の前面から照明装置収納部５５９の全領域あるいはその範囲内である。前カバー５５２の前記液晶表示装置収納部５５３の両側には前記ワンタッチ式の止着装置８０ａを挿入する孔５５４が複数個（本実施形態では４個）貫通して形成されている。
【００２０】
後カバー５５１は、下部に前面開口部を有する照明装置取り付け部５６０が形成されている。また、前記前カバー５５２に形成された孔５５４と対応する位置には、同数の孔５５５ａが形成されている。前記孔５５５ａの間には、取付枠８Ｃに形成されている凸部２００（図１、図６（ｂ）参照）が嵌入されて後カバー５５１を固定するための孔２０１が形成されている。更に、後カバー５５１の略中央には液晶表示装置６Ａの後部５５８が挿入される開口部５６６を有する液晶表示装置取り付け部５６７（図３参照）が形成されている。液晶表示装置６Ａには、液晶表示装置６Ａを駆動する信号線が接続されている図示していないコネクタが凹部５５７に取り付けられている。液晶表示装置６Ａの凹部５５７に図示していない遊技制御基板からの信号線が接続されたコネクタが挿入されて液晶表示装置６Ａと遊技制御基板とが結合される。
【００２１】
液晶表示装置６Ａと照明装置９０とを前カバー５５２と後カバー５５１との間に装着して、後述するように前カバー５５２の照明装置収納部５５９と後カバー５５１の照明装置取り付け部５６０とをあわせて一体となし、液晶表示装置保護ユニット５５０を形成する。該液晶表示装置保護ユニット５５０は、取付枠８Ｃの上部両側に設けられた前記切り欠き開口部８４に液晶表示装置６Ａの後部５５８を挿入して前記止着装置８０ａにより後述するようにして取付枠８Ｃに着脱可能に固定される。
【００２２】
図３に示すように、前記液晶表示装置保護ユニット５５０は、その内部に液晶表示装置６Ａと照明装置９０とが内蔵されている。近年の液晶表示装置６Ａは表示面６ＡＡが柔らかく、液晶表示装置６Ａの装着、取外し、移動などにより簡単に傷がついたり、変形したりして性能が変化し易い。しかし、本願の実施形態では、前述したように前カバー５５２は、前記液晶表示装置６Ａの表示面６ＡＡ側が挿入される液晶表示装置収納部５５３の前面５５３ａが透明に形成されていて、該前面５５３ａによって表示面６ＡＡが保護される効果を有する。
【００２３】
後カバー５５１の前記孔５５４と対応する位置には孔５５５ａを形成する凸部５５５が設けられ、開口部５６６の上下には螺子穴を有する凸部６００が形成されている。また、照明装置取り付け部５６０の上部、下部には、取り付け基板９０１を係合する先端に爪部を有する複数の係合部５５７と、取り付け基板９０１を支える立壁５５６とがそれぞれ形成されている。前記立壁５５６の後方には、取り付け基板９０１の厚さだけ立壁５５６との間に隙間を有する長さの凸部６０１が立設されている。取り付け基板９０１の下端を前記立壁５５６後方、凸部６０１前方との間に嵌め込み、上端を係合部５５７に押しこみ、先端の爪部で固定して取り付け基板９０１が固定される。
【００２４】
照明装置９０は、取り付け基板９０１に搭載された例えば冷陰極管９００のような照明手段がソケット９０２に取り付けられ、駆動回路７００により点灯制御される。該駆動回路７００は、前記開口部５６６と凹部５５７との間に設けられた図示していないコネクタを介して図示していない信号線が遊技制御基板に接続されている。前記取り付け基板９０１は、後カバー５５１下部に形成された前面開口部を有する照明装置取り付け部５６０に前記のようにして嵌め込まれて固定される。該固定された照明装置９０は、前カバー５５２の照明装置収納部５５９と後カバー５５１の照明装置取り付け部５６０とをあわせて一体となした時に前カバー５５２の照明装置収納部５５９の図２に示した下部領域５５９ａから光が出るように配置され、下部領域５５９ａは、前記照明装置９０からの光を散乱して前記複数個の回胴表示装置ユニット６を上部から照明する。前記液晶表示装置６Ａは、後カバー５５１に取付けるための鍔部９０３が上部、下部（図示省略。）にそれぞれ形成されていて、該鍔部９０３には螺子９０５（図５（ｃ）参照）が貫通する孔９０４が形成されている。
【００２５】
図４、図５により前記液晶表示装置保護ユニット５５０の液晶表示装置６Ａと照明装置９０の取り付け構造について説明する。図４（ｂ）におけるＡＡ断面図（図５（ａ））に示すように、液晶表示装置６Ａは、前記図３に示した開口部５６６に後部５５８から挿入され、図５（ｃ）に示すように、前記鍔部９０３に形成されている孔９０４と前記凸部６００（図３参照）に形成された螺子穴とをあわせ、螺子９０５で液晶表示装置６Ａが後カバー５５１に固定される。
【００２６】
取り付け基板９０１は、前記のように後カバー５５１の照明装置取り付け部５６０の開口部に配設され固定されている。前記のように後カバー５５１に固定された液晶表示装置６Ａと取り付け基板９０１とに、液晶表示装置６Ａの表示面６ＡＡの前面から前カバー５５２を被せ、前カバー５５２の照明装置収納部５５９と後カバー５５１の照明装置取り付け部５６０とをあわせて一体となすと液晶表示装置保護ユニット５５０が形成される。図５（ａ）に示すように、前カバー５５２の液晶表示装置収納部５５３の前面５５３ａと液晶表示装置６Ａの表示面６ＡＡとが一致し、透明の前面５５３ａにより液晶表示装置６Ａの表示面６ＡＡが視認できると共に、保護される。
【００２７】
かかる液晶表示装置保護ユニット５５０は、前カバー５５２を後カバー５５１に嵌入させただけなので、このままでは、前カバー５５２と後カバー５５１とが外れてしまう。図６に示すように、前記一体化された液晶表示装置保護ユニット５５０は、取付枠８Ｃの上部両側に設けられた切り欠き開口部８４（図１参照）に液晶表示装置６Ａの後部５５８から挿入され以下のように着脱可能に固定されている。即ち、取付枠８Ｃに形成されている凸部２００は、後カバー５５１に形成された孔２０１（図５（ｂ）参照）に嵌入されて取付枠８Ｃに位置決めされる。図３に示した液晶表示装置保護ユニット５５０前面から前カバー５５２に形成された孔５５４、後カバー５５１に形成された孔５５５ａ及び取付枠８Ｃに形成された孔８０ｂ（６（ｂ）参照）にワンタッチ式の止着装置８０ａを挿入して、該止着装置８０ａと前記孔８０ｂとを嵌合することで液晶表示装置保護ユニット５５０が取付枠８Ｃに固定される。液晶表示装置保護ユニット５５０は、止着装置８０ａを引き抜くことで外される。このようにワンタッチ式の止着装置８０ａの押抜によって容易に液晶表示装置保護ユニット５５０の取り付け、取外しが可能となり、組立、保守時の作業性が向上する。
【図面の簡単な説明】
【００２８】
【図１】本発明の実施形態による液晶表示装置保護ユニットの取り付けを説明する図である。
【図２】本発明の実施形態によるス液晶表示装置保護ユニットの斜視図であって、（ａ）は前方斜視図、（ｂ）は後方斜視図である。
【図３】本発明の実施形態による液晶表示装置保護ユニットの分解斜視図である。
【図４】本発明の実施形態による液晶表示装置保護ユニットの図であって、（ａ）は上面図、（ｂ）は正面図、（ｃ）は右側面図、（ｄ）は下面図である。
【図５】図４の断面図であって、（ａ）はＡＡ断面図、（ｂ）はＡＣ断面図、（ｃ）はＡＢ断面図である。
【図６】本発明の実施形態による液晶表示装置保護ユニットを遊技ユニットに取り付けた図であって、（ａ）は正面図、（ｂ）はＡＢ断面図、（ｃ）は一部拡大図である。
【図７】従来の遊技装置の斜視図である。
【図８】従来の遊技装置の遊技ユニットの斜視図である。
【符号の説明】
【００２９】
６  回胴表示装置ユニット、６Ａ  液晶表示装置、８  遊技ユニット、８Ｂ  遊技パネル取付枠、８Ｃ  取付枠、１２  中枠、８０ａ  ワンタッチ式止着装置、９０  照明装置、５５０  液晶表示装置保護ユニット、５５１  後カバー、５５２  前カバー、５５３  液晶表示装置収納部、５５９  照明装置収納部、５６０  照明装置取り付け部、５６７  液晶表示装置取り付け部
【図１】
2005181403.tif 000003
【図２】
2005181403.tif 000004
【図３】
2005181403.tif 000005
【図４】
2005181403.tif 000006
【図５】
2005181403.tif 000007
【図６】
2005181403.tif 000008
【図７】
2005181403.tif 000009
【図８】
2005181403.tif 000010